(57)【要約】【課題】  データ処理を円滑に行なうことができる情報配信システムを提供する。【解決手段】  ユーザ端末の表示手段に表示された情報表示領域８は、第１の情報表示領域９、第２の情報表示領域１０、第３の情報表示領域１１、第４の情報表示領域１２、第５の情報表示領域１３、第６の情報表示領域１４及び第７の情報表示領域１５に分割されており、それぞれ文字情報や、静止画及び動画といった画像情報が表示されている。情報表示領域８の一辺対他辺の長さの比即ち縦対横の長さの比は略１：１．６１８である。第１の情報表示領域９の一辺対他辺の長さの比は１：１で正方形であり、第２の情報表示領域１０、第３の情報表示領域１１、第４の情報表示領域１２、第５の情報表示領域１３、第６の情報表示領域１４及び第７の情報表示領域１５を合わせた全領域の一辺対他辺の長さの比は略１：１．６１８である。【選択図】  図２
2006302014.tif 000002
【特許請求の範囲】
【請求項１】
ユーザ端末と、情報配信サーバとを有する情報配信システムであって、
前記ユーザ端末は、前記情報配信サーバから送られた所定の情報を受信すると共に、受信した所定の情報を表示する表示手段を備え、
前記情報配信サーバは、所定の一辺対他辺の長さの比を有する四角形の情報表示領域内において、正方形の情報表示領域と、該正方形の情報表示領域に隣接する、前記四角形の情報表示領域が有する長さの比と略同じ一辺対他辺の長さの比を有する情報表示領域とを前記表示手段に表示させる表示領域情報を前記ユーザ端末に送信する表示領域情報送信手段を備える
情報配信システム。
【請求項２】
前記所定の一辺対他辺の比は、略１：１．６１８である
請求項１に記載の情報配信システム。
【請求項３】
所定の情報を表示する表示手段を備えたユーザ端末に所定の情報を送信する情報配信サーバを有する情報配信システムであって、
前記情報配信サーバは、所定の一辺対他辺の長さの比を有する四角形の情報表示領域内において、正方形の情報表示領域と、該正方形の情報表示領域に隣接する、前記四角形の情報表示領域が有する長さの比と略同じ一辺対他辺の長さの比を有する情報表示領域とを前記表示手段に表示させる表示領域情報を前記ユーザ端末に送信する表示領域情報送信手段を備える
情報配信システム。
【請求項４】
前記所定の一辺対他辺の比は、略１：１．６１８である
請求項３に記載の情報配信システム。
【発明の詳細な説明】
【技術分野】
【０００１】
本発明は情報配信システムに関する。詳しくは、ユーザ端末に所定の情報を送信する情報配信サーバを有する情報配信システムに係るものである。
【背景技術】
【０００２】
アナログ放送やデジタル放送では、放送受信端末の限られた情報表示領域（画面）に多くの情報を表示させるべく、１つの画面内に複数の画面を分割して表示させることが行なわれており、従来、このような画面分割に関する様々な技術が提案されている。
【０００３】
例えば、特許文献１には、１つの画面１０１において、伝送情報の個々の内容の表題１０２ａ〜１０２ｅを表示する第１の画面であるリスト表示画面１０２と、表示された表題から放送受信者が希望する任意の特定表題１０２ｂを選択し、選択された特定表題１０２ｂについて、データ送信された情報からその対応する個別情報１０３ｂを表示する第２の画面である個別情報表示画面１０４と、放送受信者が選択して登録した個別表題１０２ｂを表示する第３の画面である個別表題登録画面１０５とを含むデータ放送画面分割表示システムが記載されている。これにより、放送受信者は常に新しい情報を取得することができる。図３は、従来のシステムにおけるデータ放送画面分割表示の概略説明図である。
【０００４】
【特許文献１】特開２００２−１３５７３２号公報
【発明の開示】
【発明が解決しようとする課題】
【０００５】
ところで、画面の形状のうち正方形の画面の方が、データの加工等データ処理を行ないやすく好ましいが、従来のシステムでは分割された画面の形状が必ずしも正方形ではなく、データ処理が円滑に行なわれていなかった。
【０００６】
本発明は、以上の点に鑑みて創案されたものであり、データ処理を円滑に行なうことができる情報配信システムを提供することを目的とする。
【課題を解決するための手段】
【０００７】
上記の目的を達成するために、本発明の情報配信システムは、ユーザ端末と、情報配信サーバとを有する情報配信システムであって、前記ユーザ端末は、前記情報配信サーバから送られた所定の情報を受信すると共に、受信した所定の情報を表示する表示手段を備え、前記情報配信サーバは、所定の一辺対他辺の長さの比を有する四角形の情報表示領域内において、正方形の情報表示領域と、該正方形の情報表示領域に隣接する、前記四角形の情報表示領域が有する長さの比と略同じ一辺対他辺の長さの比を有する情報表示領域とを前記表示手段に表示させる表示領域情報を前記ユーザ端末に送信する表示領域情報送信手段を備える。
【０００８】
ここで、所定の一辺対他辺の長さの比を有する四角形の情報表示領域内に、これと略同じ一辺対他辺の長さの比を有する情報表示領域を表示させることで、複数の正方形の情報表示領域を表示させることができる。なお、「所定の情報」とは、文字、記号、図形等ユーザ端末が受信して表示できる情報であり、動画情報も含まれる。
【０００９】
また、上記の目的を達成するために、本発明の情報配信システムは、所定の情報を表示する表示手段を備えたユーザ端末に所定の情報を送信する情報配信サーバを有する情報配信システムであって、前記情報配信サーバは、所定の一辺対他辺の長さの比を有する四角形の情報表示領域内において、正方形の情報表示領域と、該正方形の情報表示領域に隣接する、前記四角形の情報表示領域が有する長さの比と略同じ一辺対他辺の長さの比を有する情報表示領域とを前記表示手段に表示させる表示領域情報を前記ユーザ端末に送信する表示領域情報送信手段を備える。
【００１０】
ここで、所定の一辺対他辺の長さの比を有する四角形の情報表示領域内に、これと略同じ一辺対他辺の長さの比を有する情報表示領域を表示させることで、複数の正方形の情報表示領域を表示させることができる。なお、「所定の情報」とは、文字、記号、図形等ユーザ端末が受信して表示できる情報であり、動画情報も含まれる。
【発明の効果】
【００１１】
本発明に係る情報配信システムは、データ処理を円滑に行なうことができる。
【発明を実施するための最良の形態】
【００１２】
以下、本発明の実施の形態について図面を参照しながら説明し、本発明の理解に供する。図１は、本発明を適用した情報配信システムの一例を示す概略ブロック図である。図1に示された本発明を適用した情報配信システムは、情報配信サーバ１とユーザ端末５で構成されており、情報配信サーバ１は表示領域情報送信手段２と要求情報応答手段３とを備え、ユーザ端末５は表示手段６と要求情報送信手段７とを備えており、情報配信サーバ１とユーザ端末５とは、インターネット４を介して通信可能となっている。ユーザ端末５は、インターネットに接続可能な機器であり、具体的には例えばインターネットに接続可能なパーソナルコンピュータ、インターネットに接続可能な携帯電話機等が挙げられる。
【００１３】
ここで、表示領域情報送信手段は、所定の一辺対他辺の長さの比を有する四角形の情報表示領域内において、正方形の情報表示領域と、正方形の情報表示領域に隣接する、所定の一辺対他辺の長さの比と略同じ比率を有する情報表示領域とを表示手段に表示させる表示領域情報をユーザ端末に送信するよう構成されている。
【００１４】
また、要求情報応答手段は、要求情報送信手段から送信された所定の要求情報を受信すると共に、所定の要求情報に対して応答するよう構成されている。また、要求情報送信手段は、所定の要求情報を情報配信サーバへ送信するよう構成されている。なお、「所定の要求情報」とは、文字情報や静止画及び動画等の画像情報を配信するよう要求する情報をいう。
【００１５】
更に、表示手段は、情報配信サーバから送られた所定の情報を受信すると共に、受信した所定の情報を表示するよう構成されている。
【００１６】
また、ユーザ端末は情報配信サーバから送られた所定の情報を受信すると共に、受信した所定の情報を表示する表示手段を備え、情報配信サーバは、所定の一辺対他辺の長さの比を有する四角形の情報表示領域内において、正方形の情報表示領域と、正方形の情報表示領域に隣接する、四角形の情報表示領域が有する長さの比と略同じ一辺対他辺の長さの比を有する情報表示領域とを表示手段に表示させる表示領域情報をユーザ端末に送信する表示領域情報送信手段を備えていれば、情報配信サーバは必ずしも要求情報応答手段を備えていなくてもよく、ユーザ端末は必ずしも要求情報送信手段を備えていなくてもよい。
【００１７】
なお、本実施例では、インターネットを介して情報を配信する例を挙げて説明しているが、ユーザ端末は情報配信サーバから送られた所定の情報を受信すると共に、受信した所定の情報を表示する表示手段を備え、情報配信サーバは、所定の一辺対他辺の長さの比を有する四角形の情報表示領域内において、正方形の情報表示領域と、正方形の情報表示領域に隣接する、四角形の情報表示領域が有する長さの比と略同じ一辺対他辺の長さの比を有する情報表示領域とを表示手段に表示させる表示領域情報をユーザ端末に送信する表示領域情報送信手段を備えていれば、必ずしもインターネットを介さずともよく、例えばアナログ放送やデジタル放送によって通常の放送局から、通常のテレビ等であるユーザ端末に情報を配信してもよい。
【００１８】
図２は、本発明を適用した情報配信システムにおいて、ユーザ端末の表示手段に表示された情報表示領域の一例を示す概略説明図である。ユーザ端末の表示手段（ディスプレイ）に表示された情報表示領域８は、第１の情報表示領域９、第２の情報表示領域１０、第３の情報表示領域１１、第４の情報表示領域１２、第５の情報表示領域１３、第６の情報表示領域１４及び第７の情報表示領域１５に分割されており、それぞれ文字情報や、静止画及び動画といった画像情報が表示されている。
【００１９】
情報表示領域８の一辺対他辺の長さの比即ち縦対横の長さの比は１：１．６１８（≒１：（１＋√５）／２）であり、また、第１の情報表示領域９の一辺対他辺の長さの比は１：１で正方形であり、また、第２の情報表示領域１０、第３の情報表示領域１１、第４の情報表示領域１２、第５の情報表示領域１３及び第６の情報表示領域１４の一辺対他辺の長さの比は１：１で正方形であり、第７の情報表示領域１５の一辺対他辺の長さの比は略１：１で略正方形である。
【００２０】
更に、第２の情報表示領域１０、第３の情報表示領域１１、第４の情報表示領域１２、第５の情報表示領域１３、第６の情報表示領域１４及び第７の情報表示領域１５を合わせた全領域の一辺対他辺の長さの比は略１：１．６１８である。また、第３の情報表示領域１１、第４の情報表示領域１２、第５の情報表示領域１３、第６の情報表示領域１４及び第７の情報表示領域１５を合わせた全領域の一辺対他辺の長さの比は略１：１．６１８であり、第４の情報表示領域１２、第５の情報表示領域１３、第６の情報表示領域１４及び第７の情報表示領域１５を合わせた全領域の一辺対他辺の長さの比も略１：１．６１８であり、第５の情報表示領域１３、第６の情報表示領域１４及び第７の情報表示領域１５を合わせた全領域の一辺対他辺の長さの比も略１：１．６１８であり、そして第６の情報表示領域１４及び第７の情報表示領域１５を合わせた全領域の一辺対他辺の長さの比も略１：１．６１８である。
【００２１】
また、例えばユーザ端末の表示手段に表示された第２の情報表示領域１０を手で触れる若しくはクリックすることで、食に関するサイトへ移動するようになっており、また、一定時間の間隔で、例えば第１の情報表示領域に表示された情報が第７の情報表示領域に移動し、第２の情報表示領域に表示された情報が第１の情報表示領域に移動し、他の情報表示領域に表示された情報がそれぞれ１段階大きな領域に移動するようになっている。
【００２２】
また、ユーザ端末は情報配信サーバから送られた所定の情報を受信すると共に、受信した所定の情報を表示する表示手段を備え、情報配信サーバは、所定の一辺対他辺の長さの比を有する四角形の情報表示領域内において、正方形の情報表示領域と、正方形の情報表示領域に隣接する、四角形の情報表示領域が有する長さの比と略同じ一辺対他辺の長さの比を有する情報表示領域とを表示手段に表示させる表示領域情報をユーザ端末に送信する表示領域情報送信手段を備えていれば、必ずしも特定の情報表示領域に手で触れる若しくはクリックすることで、表示された情報に関するサイトに移動しなくてもよく、また、必ずしも一定時間の間隔で、第１の情報表示領域に表示された情報が第７の情報表示領域に移動し、第２の情報表示領域に表示された情報が第１の情報表示領域に移動し、他の情報表示領域に表示された情報がそれぞれ１段階大きな領域に移動しなくてもよい。
【００２３】
このように、本発明を適用した情報配信システムは、所定の一辺対他辺の長さの比すなわち略１：１．６１８を有する四角形の情報表示領域内において、正方形の情報表示領域と、正方形の情報表示領域に隣接する、四角形の情報表示領域が有する長さの比と略同じ一辺対他辺の長さの比を有する情報表示領域とを表示手段に表示させることによって、データ処理しやすい正方形の情報表示領域を複数個表示させることができ、データ処理を円滑に行なうことができる。
【図面の簡単な説明】
【００２４】
【図１】本発明を適用した情報配信システムの一例を示す概略ブロック図である。
【図２】本発明を適用した情報配信システムにおいて、ユーザ端末の表示手段に表示された情報表示領域の一例を示す概略説明図である。
【図３】従来のシステムにおけるデータ放送画面分割表示の概略説明図である。
【符号の説明】
【００２５】
１    情報配信サーバ
２    表示領域情報送信手段
３    要求情報応答手段
４    インターネット
５    ユーザ端末
６    表示手段
７    要求情報送信手段
８    情報表示領域
９    第１の情報表示領域
１０    第２の情報表示領域
１１    第３の情報表示領域
１２    第４の情報表示領域
１３    第５の情報表示領域
１４    第６の情報表示領域
１５    第７の情報表示領域
【図１】
2006302014.tif 000003
【図２】
2006302014.tif 000004
【図３】
2006302014.tif 000005